【手続補正書】
【提出日】平成30年3月6日(2018.3.6)
【手続補正１】
【補正対象書類名】特許請求の範囲
【補正対象項目名】全文
【補正方法】変更
【補正の内容】
【特許請求の範囲】
【請求項１】
水と培養原液とが混合されてなる培養液を供給する培養液生成部から前記培養液の供給を受けて、作物が植栽される第一の土壌領域に前記培養液の供給と遮断を制御するための第一吐出弁と、
前記第一吐出弁から前記培養液の供給を受けて、前記第一の土壌領域に前記培養液を散布する第一灌水チューブと、
前記培養液生成部から前記培養液の供給を受けて、作物が植栽される第二の土壌領域に前記培養液の供給と遮断を制御するための第二吐出弁と、
前記第二吐出弁から前記培養液の供給を受けて、前記第二の土壌領域に前記培養液を散布する第二灌水チューブと、
所定の制御情報に基づいて前記第一吐出弁及び前記第二吐出弁の排他的な開閉を制御するコントローラと、
前記第一灌水チューブの単位長さ当たりの培養液供給能力と前記第一灌水チューブの長さに基づいて前記第一灌水チューブに供給する前記培養液の供給量を算出し、前記培養液の供給量に基づいて前記第一吐出弁を開閉制御するための情報を前記コントローラに提供し、前記第二灌水チューブの単位長さ当たりの培養液供給能力と前記第二灌水チューブの長さに基づいて前記第二灌水チューブに供給する前記培養液の供給量を算出し、前記培養液の供給量に基づいて前記第二吐出弁を開閉制御するための情報を前記コントローラに提供する、制御データ作成部と
を具備する、養液土耕システム。
【請求項２】
前記制御データ作成部は、前記第一吐出弁を開閉制御するための情報として、前記第一灌水チューブに対する前記培養液の供給に必要な前記第一吐出弁の第一の開放時間を算出して、前記第一の開放時間を含む前記制御情報を前記コントローラに提供し、前記第二吐出弁を開閉制御するための情報として、前記第二灌水チューブに対する前記培養液の供給に必要な前記第二吐出弁の第二の開放時間を算出して、前記第二の開放時間を含む前記制御情報を前記コントローラに提供する、
請求項１に記載の養液土耕システム。
【請求項３】
更に、
日照の強度を測定する日射センサと、
前記作物が植栽される場所の測位情報を出力する測位情報出力部と、
測位情報と作物の種別と日付と時間毎に、可能日射量と、前記可能日射量に対応する基準培養液量を記録する日射量培養液量テーブルと
を具備し、
前記制御データ作成部は、前記測位情報と現在日時によって前記日射量培養液量テーブルのレコードを特定して得られた前記基準培養液量と、前記日射センサの日照測定値を参酌して、前記培養液の供給量を算出する、
請求項２に記載の養液土耕システム。
【請求項４】
更に、
前記土壌の土壌ＥＣ値を測定する土壌ＥＣセンサと、
前記土壌ＥＣセンサの測定値を格納するセンサ情報テーブルと
を具備し、
前記制御データ作成部は、前記センサ情報テーブルから前記土壌ＥＣセンサの測定値の変動傾向を参酌して、前記培養液の供給量を算出する、
請求項３に記載の養液土耕システム。
【請求項５】
更に、
前記第一吐出弁に紐付く前記第一の土壌領域及び前記第二吐出弁に紐付く前記第二の土壌領域に作物が植栽されているか否かを示すステータス情報を格納する状態情報テーブルと
を具備し、
前記制御データ作成部は、前記第一の土壌領域及び／または前記第二の土壌領域に作物が植栽されていないことを確認して、塩類集積判定のために前記土壌ＥＣセンサの測定値を前記センサ情報テーブルに記録する、
請求項４に記載の養液土耕システム。
【請求項６】
水と培養原液とが混合されてなる培養液を供給する培養液生成部から前記培養液の供給を受けて、作物が植栽される土壌に前記培養液の供給と遮断を制御するための吐出弁の情報を格納する吐出弁テーブルと、
前記吐出弁から前記培養液の供給を受けて、前記土壌に前記培養液を散布する灌水チューブについて、前記吐出弁テーブルに格納される前記吐出弁との関係を示す情報と、単位長さ辺りの培養液供給能力と、長さを格納する灌水チューブテーブルと、
前記灌水チューブテーブルから、前記吐出弁テーブルから特定した前記吐出弁に関連付けられる全ての前記灌水チューブの、前記培養液供給能力及び長さに基づいて、前記培養液生成部による前記培養液の供給量を算出して、前記培養液の供給量に基づいて前記吐出弁を開閉制御するための制御情報を、前記培養液生成部及び前記吐出弁を制御するコントローラに提供する、制御データ作成部と
を具備する養液土耕制御サーバ。
【請求項７】
前記制御データ作成部は、前記吐出弁を開閉制御するための情報として、前記培養液の供給に必要な前記吐出弁の開放時間を算出して、前記開放時間を含む前記制御情報を前記コントローラに提供する、
請求項６に記載の養液土耕サーバ。
【請求項８】
更に、
前記コントローラに接続され、前記吐出弁に紐付く前記土壌の土壌ＥＣ値を測定する土壌ＥＣセンサの測定値を格納するセンサ情報テーブルと、
前記吐出弁に紐付く前記土壌に作物が植栽されているか否かを示すステータス情報を格納する状態情報テーブルと
を具備し、
前記制御データ作成部は、前記土壌に作物が植栽されていないことを前記状態情報テーブルから確認して、塩類集積判定のために前記コントローラから受信した前記土壌ＥＣセンサの測定値を前記センサ情報テーブルに記録する、
請求項７に記載の養液土耕制御サーバ。
【手続補正２】
【補正対象書類名】明細書
【補正対象項目名】発明の名称
【補正方法】変更
【補正の内容】
【発明の名称】養液土耕システム及び養液土耕制御サーバ
【手続補正３】
【補正対象書類名】明細書
【補正対象項目名】０００１
【補正方法】変更
【補正の内容】
【０００１】
本発明は、養液土耕システムと、養液土耕システムに使用される養液土耕制御サーバに関する。
なお、本明細書において作物とは、農作物と観葉植物を包含する。
【手続補正４】
【補正対象書類名】明細書
【補正対象項目名】０００３
【補正方法】変更
【補正の内容】
【０００３】
特許文献１は、本発明に一部関係があると思われる、養液土耕（「養液土耕栽培」は登録商標）を用いた作物の栽培方法の先行技術文献である。特許文献１には、作物を養液土耕により栽培する方法であって、（１）作物を栽培するに先立って、土壌を分析して土壌中の塩素イオン濃度及び硫酸イオン濃度を測定する手段、（２）塩素イオン及び硫酸イオンの電気伝導度への寄与値（ds/m）を求める手段、（３）土壌溶液の電気伝導度について、標準電気伝導度に、上記（２）で求めた寄与値を加算して、管理目標値を決定する手段、（４）栽培期間中、土壌溶液中の電気伝導度を測定する手段、及び（５）上記（４）で求めた電気伝導度が上記（３）で決定した管理目標値の範囲を維持するように、施肥の際に供給する肥料溶液の濃度及び液量を調節する手段を備える、作物の栽培方法が開示されている。
【手続補正５】
【補正対象書類名】明細書
【補正対象項目名】０００６
【補正方法】変更
【補正の内容】
【０００６】
本発明はかかる課題を解決し、個人事業者でも容易に導入することができ、かつ高度な制御を実現することが可能な養液土耕システムと、これに使用される養液土耕制御サーバを提供することを目的とする。
【手続補正６】
【補正対象書類名】明細書
【補正対象項目名】０００７
【補正方法】変更
【補正の内容】
【０００７】
上記課題を解決するために、本発明の養液土耕システムは、水と培養原液とが混合されてなる培養液を供給する培養液生成部から培養液の供給を受けて、作物が植栽される第一の土壌領域に培養液の供給と遮断を制御するための第一吐出弁と、第一吐出弁から培養液の供給を受けて、第一の土壌領域に培養液を散布する第一灌水チューブと、培養液生成部から培養液の供給を受けて、作物が植栽される第二の土壌領域に培養液の供給と遮断を制御するための第二吐出弁と、第二吐出弁から培養液の供給を受けて、第二の土壌領域に培養液を散布する第二灌水チューブと、所定の制御情報に基づいて第一吐出弁及び第二吐出弁の排他的な開閉を制御するコントローラとを具備する。制御データ作成部は、第一灌水チューブの単位長さ当たりの培養液供給能力と第一灌水チューブの長さに基づいて第一灌水チューブに供給する培養液の供給量を算出し、培養液の供給量に基づいて第一吐出弁を開閉制御するための情報をコントローラに提供し、第二灌水チューブの単位長さ当たりの培養液供給能力と第二灌水チューブの長さに基づいて第二灌水チューブに供給する培養液の供給量を算出し、培養液の供給量に基づいて第二吐出弁を開閉制御するための情報をコントローラに提供する。
【手続補正７】
【補正対象書類名】明細書
【補正対象項目名】０００８
【補正方法】変更
【補正の内容】
【０００８】
本発明によれば、個人事業者でも容易に導入することができ、かつ高度な制御を実現することが可能な養液土耕システムと、これに使用される養液土耕制御サーバを提供することができる。
上記した以外の課題、構成及び効果は、以下の実施形態の説明により明らかにされる。